(57)【要約】【課題】最低限必要な遮光範囲をカバーし、使用者の視認性を悪化させず、視野を狭めないサンバイザ、サンバイザ用遮光板交換ユニットおよび頭部装着体を提供する。【解決手段】メガネ用サンバイザ１０は、メガネ２０に固定可能な支柱元部７１と、これに対してボール部７２と球面軸受部７３とに分解自在な第１のボールジョイント７４を介して着脱自在に連結される支柱本体部７５と、これに第２のボールジョイント７６を介して連結される遮光板１１とを備えたので、日差し除け機能を発揮しつつ、広範囲の視野を確保できる。メガネ２０に対する着脱性を向上させ、利便性に大なる効果を発揮する。また、第１のボールジョイント７４を利用し、用途や好みなどに応じて別のサンバイザ用遮光板交換ユニット７９に交換できる。【選択図】図１
2007148029.tif 000002
【特許請求の範囲】
【請求項１】
使用者の頭部に装着される頭部装着体に固定可能な支柱元部と、
該支柱元部に対して、ボールジョイントを介して着脱自在に連結される支柱本体部と、
該支柱本体部に連結される遮光板とを備えたサンバイザ。
【請求項２】
使用者の頭部に装着される頭部装着体に固定可能な支柱元部と、
該支柱元部に対して、ボール部と該ボール部を軸支する球面軸受部とに分解組み立て自在な第１のボールジョイントを介して着脱自在に連結される支柱本体部と、
該支柱本体部に第２のボールジョイントを介して連結される遮光板とを備えたサンバイザ。
【請求項３】
前記支柱元部が固定され、かつ前記頭部装着体に掛止可能な頭部掛止体を有した請求項１または請求項２に記載のサンバイザ。
【請求項４】
前記頭部装着体は、フロント部に前記支柱元部が固定されるメガネ、庇に前記支柱元部が固定される帽子、長さ方向の中間部に前記支柱元部が固定されるヘアバンドのうち、何れか１つである請求項１〜請求項３のうち、何れか１項に記載のサンバイザ。
【請求項５】
前記頭部装着体は、フロント部に前記支柱元部が固定されるメガネで、
前記遮光板は横長な略矩形状で、その横幅は、上記メガネのフロント部の幅の１／２〜１／３で、その縦幅は約２ｃｍである請求項１〜請求項３のうち、何れか１項に記載のサンバイザ。
【請求項６】
前記遮光板はその面積を可変とした請求項１〜請求項５のうち、何れか１項に記載のサンバイザ。
【請求項７】
前記遮光板は、その縦幅および横幅の少なくとも一方に伸縮可能な枠体と、この枠体に展張された伸縮シートとを有した請求項６に記載のサンバイザ。
【請求項８】
前記遮光板の表面および裏面の少なくとも一方には、意匠が表示された請求項１〜請求項７のうち、何れか１項に記載のサンバイザ。
【請求項９】
ボール部と該ボール部を軸支する球面軸受部とを有した分解組み立て自在な第１のボールジョイントのうち、前記ボール部または前記球面軸受部が設けられた支柱本体部と、
該支柱本体部に第２のボールジョイントを介して連結される遮光板とを備えたサンバイザ用遮光板交換ユニット。
【請求項１０】
請求項１〜請求項８のうち、何れか１項に記載のサンバイザが、前記支柱元部を任意位置に固定することで取り付けられた頭部装着体。
【発明の詳細な説明】
【技術分野】
【０００１】
この発明はメガネなどの頭部装着体に取り付けられ、メガネなどの視野を広く維持しながら遮光を効果的に行うことができるサンバイザ（日除け、日差し除けまたは遮光板）、サンバイザの遮光板を交換するサンバイザ用遮光板交換ユニットおよびサンバイザ付きの頭部装着体に関する。
【背景技術】
【０００２】
従来、日差し除けとしては、帽子、サングラスなどが知られている。また、自動車の運転に際しては、可動式サンバイザが知られている。
【０００３】
メガネは、メガネフレームと、メガネフレームに固定された左右一対のレンズとを備えている。
メガネフレームは、それぞれがレンズを保持する一対のレンズ枠と、これらのレンズ枠同士を連結するブリッジと、それぞれが各レンズ枠の外側に折り畳み自在に連結されて耳に引っ掛けられる一対のつる（テンプル）とを有している。また、メガネのフロント部は、１対のレンズと１対のレンズ枠とブリッジとにより構成されている。
ところで、メガネについて太陽が低く位置する時、例えば早朝、夕暮れなどでは日差し除け具が必要であった。この種のサンバイザとしては、特許文献１に記載されたものが知られている。
【０００４】
この特許文献１には、眼鏡の前方上側に配置し得るひさし部と、眼鏡のつるに沿って配置し得るようにひさし部の両側から延在し、眼鏡のつるが挿入される差し込み孔を備えた取り付け部とで構成され、このひさし部がめがねのレンズの上側からその大半を覆うような湾曲形状で形成されている。
【０００５】
【特許文献１】登録実用新案第３０６４７１２号
【発明の開示】
【発明が解決しようとする課題】
【０００６】
このように、特許文献１のサンバイザは、眼鏡の上側からレンズを覆うだけの構成であり、かつ、差し込み孔につる部を挿入していた構成であったので、以下の不具合が生じていた。すなわち、ひさし部が略レンズ全体を上方から覆うため、使用者の視野を狭める場合が生じること、また、使用者の視認性を悪化させること、さらに、サンバイザの着脱に手間が掛かることなどがそれである。
【０００７】
そこで、この発明は、サンバイザとして最低限必要な遮光範囲をカバーして使用者の視認性を悪化させず、かつ視野を狭めることがないとともに、遮光板の角度変更が容易であり、かつ用途や好みなどに応じて、サンバイザの遮光板側の部分を異なるものに交換可能なサンバイザおよび頭部装着体を提供することを目的としている。
この発明は、簡単な掛止作業を行うだけで、既存の頭部装着体をこの発明の効果を有したものに改良することができるサンバイザを提供することを目的としている。
この発明は、遮光板の大きさを変更することができるサンバイザを提供することを目的としている。
【０００８】
この発明は、簡単な操作でかつ低コストで遮光面積を変更することができるサンバイザを提供することを目的としている。
この発明は、遮光板の表面および裏面の少なくとも一方に意匠を表示することで、遮光に支障なく、例えば企業や商品の宣伝、広告などを第３者に報知することができるサンバイザを提供することを目的としている。
この発明は、サンバイザにおいて、サンバイザ用遮光板交換ユニットを簡単に交換することができるサンバイザ用遮光板交換ユニットを提供することを目的としている。
【課題を解決するための手段】
【０００９】
請求項１に記載の発明は、使用者の頭部に装着される頭部装着体に固定可能な支柱元部と、該支柱元部に対して、ボールジョイントを介して着脱自在に連結される支柱本体部と、該支柱本体部に連結される遮光板とを備えたサンバイザである。
【００１０】
請求項１に記載の発明によれば、遮光板は両眼の視界の一部を覆うに過ぎず、かつ遮光板は両眼より前方に突出している。これにより、サンバイザは日差し除け機能を十分に発揮できると同時に、左右上下において十分な明視野を確保することができる。よって、車両の運転などでの利便性はきわめて高い。車両運転では、太陽光が一方向に固定されることが多いからである。
また、遮光板は、ボールジョイントにより、光の照射方向などに応じてその角度を任意に変更するとともに、両眼の前面に対してその距離を可変とすることができる。そのため、車両運転時の利便性について高い効果が発揮される。
【００１１】
頭部装着体としては、例えばメガネ（サングラスを含む）、帽子、ヘアバンド、バンダナなどを採用することができる。また、使用時、使用者の額の上に配置される略直線状の枠体の両端に、耳掛け用のつるがそれぞれ連結されたメガネフレームに近似した頭部用アクセサリでもよい。この場合、支柱元部はこの枠体の長さ方向の中間部の表側またはその上縁などに固定される。頭部用アクセサリには、メガネの場合と同じように鼻の両側に押し当てられる鼻当て部を設けた方が好ましい。これは、サンバイザの使用時、風などが遮光板に当たってアクセサリやメガネが位置ずれすることを防ぐためである。
頭部装着体の素材は、頭部装着体がどのような品物（用途など）かによって適宜変更される。また、頭部装着体の大きさは任意である。
【００１２】
頭部装着体の形状は限定されない。例えば、頭部装着体がメガネの場合、２つのレンズを有するものでも、左右の眼球用のレンズを連結させた１枚レンズ構造のものでもよい。１枚レンズの場合、上述した両方のレンズの上側の一部を覆う遮光板は、レンズのうち、左右の眼球との対峙部分の上側の一部と、読み代えるものとする。両方のレンズの上側の一部とは、各レンズの上部（上半分の領域）であって、かつ光源からの日差しを遮るために必要な最小限の領域を含む部分をいう。
メガネのフロント部は、例えば１対のレンズと、これらを保持する一対のレンズ枠と、両レンズ枠同士を連結するブリッジとを有している。ブリッジの両側には、こめかみに当てがわれるこめかみ当て部を設けた方が好ましい。これにより、メガネ（前記アクセサリも同じ）の着用時の安定性を高めることができる。
【００１３】
支柱元部の素材は限定されない。例えば、各種の合成樹脂（ポリプロピレン、ポリエチレン、ポリ塩化ビニル、ポリエチレンテレフタレート、フッ素樹脂、アクリル樹脂など）、各種の金属（鉄、ステンレス、アルミニウム、ニッケル、チタン、銅、亜鉛、青銅、黄銅、銀、金、プラチナなど）、各種の木（杉、檜、松、桐、黒檀、桜、楓など）、各種のセラミックス、布帛（織布、不織布、編布など）、各種の紙、各種の皮革などを採用することができる。
支柱元部には、ボール部を固定しても、球面軸受部を固定してもよい。
頭部装着体における支柱元部の取り付け位置は限定されない。ただし、使用時に眉間付近に配置される部分が好ましい。例えば、頭部装着体がメガネの場合、ブリッジの表側またはブリッジの上縁などである。
【００１４】
支柱本体部の素材は、例えば上述した支柱元部の素材群のうち、何れかの素材を採用することができる。
支柱本体部の大きさは限定されない。また、支柱本体部の形状も限定されない。例えば、棒形状でもよいし、板片形状でもよい。
【００１５】
支柱本体部による両眼からの遮光板の距離（各最端距離）は、例えば２〜３ｃｍである。この範囲であれば、頭部からの頭部装着体（例えばメガネ）の着脱にも支障がなく、両眼の広い視野と良好な遮光機能とを同時に得ることができる。
遮光板とは、光を遮断可能な素材（半透明素材を含む）からなる板状の部材である。
遮光板の素材は限定されない。例えば、各種のプラスチック（ポリプロピレン、ポリエチレン、ポリエチレンテレフタレート、ＡＢＳ樹脂、アクリルなど）、各種の金属、各種のセラミックス、各種の木材などを採用することができる。また、枠体に布帛（織布、不織布、編布など）、紙、合成樹脂シート、皮革などを展張したものでもよい。
【００１６】
遮光板は、伸縮構造を有してもよいし、そうでないものでもよい。
また、遮光板の前側には、反射塗料をコーティングしてもよい。そうすれば、反射塗料で光を反射させて、例えば自動車を運転中の運転者や、離れた場所に立っている第３者に使用者の位置を視認させることができる。反射塗料としては、市販品を採用することができる。
遮光板の裏面には鏡を設けてもよい。こうすれば、使用者は鏡を見ながら主に顔周辺の身だしなみをチェックすることができる。鏡は遮光板に一体的に設けてもよいし、別体で設けてもよい。
【００１７】
請求項２に記載の発明は、使用者の頭部に装着される頭部装着体に固定可能な支柱元部と、該支柱元部に対して、ボール部と該ボール部を軸支する球面軸受部とに分解組み立て自在な第１のボールジョイントを介して着脱自在に連結される支柱本体部と、該支柱本体部に第２のボールジョイントを介して連結される遮光板とを備えたサンバイザである。
【００１８】
請求項２に記載の発明によれば、遮光板は両眼の視界の一部を覆うに過ぎず、かつ遮光板は両眼より前方に突出している。これにより、サンバイザは日差し除け機能を十分に発揮できると同時に、左右上下において十分な明視野を確保することができる。よって、車両の運転などでの利便性はきわめて高い。車両運転では、太陽光が一方向に固定されることが多いからである。
また、遮光板は、組み立て自在な第１のボールジョイントと、ボール部と球面軸受部とが分離不能な第２のボールジョイントとにより、光の照射方向などに応じてその角度を任意に変更するとともに、両眼の前面に対してその距離を可変とすることができる。そのため、車両運転時の利便性についてきわめて高い効果が発揮される。
さらに、サンバイザは、組み立て自在な第１のボールジョイントによって２分割することができる。具体的には、(1) 第１のボールジョイントのボール部および球面軸受部のうちの一方と、(2) 第１のボールジョイントのボール部および球面軸受部のうちの残り、および、サンバイザの遮光板側の部分（請求項８のサンバイザ用遮光板交換ユニット）とに分けられる。そのため、例えば用途や好みなどに応じて、サンバイザの遮光板側の部分を異なるものに交換することができる。
【００１９】
ボール部と球面軸受部とが分解組み立て自在な第１のボールジョイントとは、外力の作用により、ボール部と球面軸受部との掛合を解除したり、両部材を掛合させることができるボールジョイントをいう。
第２のボールジョイントとは、ボール部と球面軸受部とが分離不能なボールジョイントで、支柱本体部に対して遮光板を立体的（３次元的）に回動可能な構造を有している。支柱本体部にボール部を設け、遮光板に球面軸受部を設けてもよい。または、その反対でもよい。
第２のボールジョイントにより、両眼に対する遮光板の角度は自在となる。ここでいう角度とは正面視した両眼を基準とする遮光板の傾斜角度をいう。
【００２０】
請求項３に記載の発明は、前記支柱元部が固定され、かつ前記頭部装着体に掛止可能な頭部掛止体を有した請求項１または請求項２に記載のサンバイザである。
【００２１】
請求項３に記載の発明によれば、頭部掛止体を介して、支柱元部を頭部装着体に掛止することができる。これにより、簡単な掛止操作を行うだけで既存の頭部装着体をこの発明の効果を有したものに改良することができる。
頭部掛止体の構造は限定されない。例えば、クリップ方式（弾性的な挟持方式）、貼着（接着）方式、磁着方式、面状ファスナ方式などを採用することができる。
頭部掛止体の各構成体の素材は限定されない。例えば、各種のプラスチック（ポリプロピレン、ポリエチレン、フッ素系樹脂、ポリカーボネートなど）でもよいし、各種の金属（ステンレス、アルミニウム、チタンなど）でもよい。
【００２２】
請求項４に記載の発明は、前記頭部装着体は、フロント部に前記支柱元部が固定されるメガネ、庇に前記支柱元部が固定される帽子、長さ方向の中間部に前記支柱元部が固定されるヘアバンドのうち、何れか１つである請求項１〜請求項３のうち、何れか１項に記載のサンバイザである。
頭部装着体は、メガネでも、帽子でも、ヘアバンドでもよい。
【００２３】
請求項５に記載の発明は、前記頭部装着体は、フロント部に前記支柱元部が固定されるメガネで、前記遮光板は横長な略矩形状で、その横幅は、上記メガネのフロント部の幅の１／２〜１／３で、その縦幅は約２ｃｍである請求項１〜請求項３のうち、何れか１項に記載のサンバイザである。
【００２４】
請求項５に記載の発明によれば、この程度の大きさの遮光板であっても、サンバイザとしての遮光機能を十分に果たせるとともに、メガネの機能を低下させることもない。
メガネのフロント部の幅とは、メガネを正面視（前方視）したとき、両レンズが連続する方向におけるフロント部の長さをいう。
遮光板の大きさがメガネのフロント部の幅の１／２未満では、遮光板が遮光機能を十分に果たせない。また、遮光板の大きさがフロント部の幅の１／３を超えると、使用者の視界が狭まる。
遮光板の縦幅が約２ｃｍ未満では、遮光板が遮光機能を十分に果たせない。また、２ｃｍを超えると、使用者の視界が狭まる。
【００２５】
請求項６に記載の発明は、前記遮光板はその面積を可変とした請求項１〜請求項５のうち、何れか１項に記載のサンバイザである。
【００２６】
請求項６に記載の発明によれば、遮光板の面積を可変としたので、例えばメガネのレンズ面に対する光の照射方向に合わせて、遮光板の大きさ（遮光面積）を変更することができる。
遮光板の面積を可変とする構造は限定されない。例えば、１対の板を遮光板の横幅方向または縦幅方向にスライド自在に設けることができる。また、２対の板を遮光板の横幅方向および縦幅方向にそれぞれスライド自在に設けてもよい。
【００２７】
請求項７に記載の発明は、前記遮光板は、その縦幅および横幅の少なくとも一方に伸縮可能な枠体と、この枠体に展張された伸縮シートとを有した請求項６に記載のサンバイザである。
【００２８】
請求項７に記載の発明によれば、例えばメガネのレンズ面に対する光の照射方向に応じて、枠体をその縦幅および横幅の少なくとも一方に引っ張ったり押し縮めて遮光板を伸縮させる。これにより、簡単な伸縮操作でかつ低コストで遮光板の遮光面積を変更することができる。
【００２９】
枠体の伸縮構造は限定されない。例えば、枠体をその長さ方向の所定位置で複数の部分枠体に分割し、互いに隣接する一方の部分枠体と他方部分枠体とをスライド可能に連結した構造などを採用することができる（テレスコピック構造体など）。
伸縮シートの素材は限定されない。例えばゴム糸により伸縮自在な布帛（織布、不織布、編布など）、ゴムシートなどを採用することができる。伸縮自在な布帛としては、ゴム糸が折り込まれたものなどが挙げられる。このうち、布帛製の伸縮シートの方が、強風時に遮光板の抵抗が小さくなるので好ましい。これは、遮光板はその面積が大きくなれば風に対する抵抗が増大するが、布帛（特に編布）製の遮光板であれば、遮光板の面積が拡大した際に糸と糸との隙間が広がって風通しが良くなるためである。
【００３０】
請求項８に記載の発明は、前記遮光板の表面および裏面の少なくとも一方には、意匠が表示された請求項１〜請求項７のうち、何れか１項に記載のサンバイザである。
【００３１】
請求項８に記載の発明によれば、遮光板の表面および裏面の少なくとも一方に意匠を表示することで、遮光に支障なく、例えば企業や商品の宣伝、広告などを第３者に報知することができる。
【００３２】
遮光板は、その前面が広告面として利用できるように平坦に形成することができる。
意匠とは、例えば文字、数字、マーク、ロゴ、模様などの平面的な意匠でもよいし、立体的な意匠でもよい。
【００３３】
請求項９に記載の発明は、ボール部と該ボール部を軸支する球面軸受部とを有した分解組み立て自在な第１のボールジョイントのうち、前記ボール部または前記球面軸受部が設けられた支柱本体部と、該支柱本体部に第２のボールジョイントを介して連結される遮光板とを備えたサンバイザ用遮光板交換ユニットである。
【００３４】
請求項９に記載の発明によれば、サンバイザは、第１のボールジョイントのボール部と球面軸受部との掛止部分を分割位置として、サンバイザ用遮光板交換ユニットとその他の部分とに２分割される。これにより、簡単な交換作業を行うことで、例えば用途や使用者の好みなど応じて異なるサンバイザ用遮光板交換ユニットに交換することができる。
【００３５】
支柱本体部に設けられるのは、第１のボールジョイントのうちのボール部でも、球面軸受部でもよい。
遮光板の素材、大きさ、形状は限定されない。
【００３６】
請求項１０に記載の発明は、請求項１〜請求項８のうち、何れか１項に記載のサンバイザが、前記支柱元部を任意位置に固定することで取り付けられた頭部装着体である。
頭部装着体への支柱元部の固定方法は限定されない。例えば、接着剤による接着の他、加熱しての溶着などを採用することができる。
【発明の効果】
【００３７】
請求項１〜請求項８に記載のサンバイザ、請求項１０に記載の頭部装着体によれば、日差し除け機能を発揮しつつ、同時に広範囲の視野を確保できる。頭部装着体に対する着脱性を向上させ、利便性に大なる効果を発揮する。また、請求項２の場合には、第１のボールジョイントを利用し、例えば用途や好みなどに応じて、サンバイザの遮光板側の部材を異なるものに交換することができる。
【００３８】
特に、請求項３に記載のサンバイザによれば、頭部掛止体を用いて、支柱元部を頭部装着体に掛止するようにしたので、簡単な掛止操作を行うだけで既存の頭部装着体をこの発明の遮光板付きのサンバイザに改良することができる。
【００３９】
また、請求項５に記載のサンバイザによれば、横幅がメガネのフロント部の幅の１／２〜１／３で、かつ縦幅が約２ｃｍ程度の大きさの遮光板であっても、サンバイザとしての遮光機能を十分に果たせるとともに、メガネの機能を低下させることもない。
【００４０】
また、請求項６に記載のサンバイザによれば、遮光板の面積を可変としたので、例えばメガネのレンズ面に対する光の照射方向に合わせて、遮光板の大きさ（遮光面積）を変更することができる。
【００４１】
さらに、請求項７に記載のサンバイザによれば、例えばメガネのレンズ面に対する光の照射方向に応じて遮光板を伸縮させることで、簡単な伸縮操作でかつ低コストで遮光板の遮光面積を変更することができる。
【００４２】
そして、請求項８に記載のサンバイザによれば、遮光板の表面および裏面の少なくとも一方に意匠を表示することで、遮光に支障なく、例えば企業や商品の宣伝、広告などを第３者に報知することができる。
【００４３】
請求項９に記載のサンバイザ用遮光板交換ユニットによれば、サンバイザをサンバイザ用遮光板交換ユニットとその他の部分とに２分割可能としたので、簡単な交換作業を行うだけで、例えば用途や使用者の好みなどにより、異なる遮光板付きのサンバイザ用遮光板交換ユニットに交換することができる。
【発明を実施するための最良の形態】
【００４４】
以下、この発明の実施例を図面を参照して具体的に説明する。ここでは、メガネ（頭部装着体）用のサンバイザを例にとる。
【実施例１】
【００４５】
図１〜図３において、１０はこの発明の実施例１に係るメガネ用サンバイザで、このメガネ用サンバイザ１０は、メガネ（頭部装着体）２０のフロント部２１に装着される構成である。メガネ用サンバイザ１０は、メガネ２０のフロント部２１に固定される支柱元部７１と、支柱元部７１に対して、ボール部７２とこのボール部７２を軸支する球面軸受部７３とに分解組み立て自在な第１のボールジョイント７４を介して着脱自在に連結される支柱本体部７５と、支柱本体部７５に第２のボールジョイント７６を介して連結され、フロント部２１の両方のレンズ２２，２３の上側の一部を被う遮光板１１とを備えている。メガネ用サンバイザ１０は、全てプラスチック製である。
前記支柱元部７１は矩形状を有した小さい板片で、フロント部２１のレンズ枠７７同士を連結するブリッジ部７８の表側に接着剤により接着される。
また、第１のボールジョイント７４のうち、球面軸受部７３が設けられた支柱本体部７５と、支柱本体部７５に第２のボールジョイント７６を介して連結される遮光板１１とにより、サンバイザ用遮光板交換ユニット（サンバイザの遮光板１１側の部分）７９が構成されている。
【００４６】
以下、図２および図３を参照して、サンバイザ用遮光板交換ユニット７９を具体的に説明する。
支柱本体部７５は、元部に第１のボールジョイント７４の球面軸受部７３が設けられ、先方に向かうほど徐々に細くなった先部に、第２のボールジョイント７６のボール部８０が設けられた直線的なピン形状を有する部材である。球面軸受部７３は、平行に離間した１対のボール挟持片８１を有した二股形状のものである。両ボール挟持片８１の対向側には、ボール部７２の両側部を回動自在に収納した挟持ポケット８１ａが配設されている（図３）。ボール部７２を両挟持ポケット８１ａに着脱自在に組み込むことで、サンバイザ用遮光板交換ユニット７９がメガネ２０に装着される。
【００４７】
遮光板１１は略矩形状の板片で、その横幅は、メガネ２０のフロント部２１の幅の１／２〜１／３であり（ここでは１／２）、その縦幅は略２ｃｍである。メガネ２２は、レンズ枠７７のブリッジ部７８付近に鼻当て部８２がそれぞれ突設されている。鼻当て部８２付きのメガネであれば、メガネ２０の安定性が高く、遮光板１１に風が当たってもメガネ２０がずれ難い。
また、遮光板１１はフロント部２１のブリッジ部７８から前方に所定距離（３〜６ｃｍ）だけ突出して設けられている。遮光板１１は、第１のボールジョイント７４により、メガネ２０のレンズ２２，２３の前面に対してその距離を可変とする。さらに、遮光板１１は第２のボールジョイント７６によりレンズ面に対する角度を変更自在とする。
遮光板１１は、前述したように軽い材料であるプラスチック（ここではポリプロピレン）で形成されている。遮光板１１の前面には、光を反射する反射塗料をコーティングしてもよい。または、遮光板１１には蛍光塗料をコーティングしてもよい。これにより、遮光板１１の光の反射性および装飾性を高めることができる。
【００４８】
遮光板１１は、その長さ方向の中間部の裏側に第２のボールジョイント７６の一部を構成する球面軸受部７６Ａが設けられている。ただし、球面軸受部７６Ａの取り付け位置はここに限定されない。例えば、遮光板１１の任意の辺部でもよいし、遮光板１１の任意の隅部でもよい。球面軸受部７６Ａは、第１のボールジョイント７４のものと略同じ構造を有している。ただし、球面軸受部７６Ａは、支柱本体部７５に設けられた第２のボールジョイント７６のボール部８０を、着脱不能な状態で軸支している。
遮光板１１は、その前面が広告面として利用できるように平坦に形成されている。そのため、遮光板１１の表面（裏面も可能）にロゴなどを印刷などして配置することができる。
遮光板１１の裏面には鏡を設けてもよい。そうすれば、使用者は鏡を見ながら例えば顔周辺の身だしなみをチェックすることができる。
また、遮光板１１には、前方を撮影可能なカメラ（カメラのレンズ部分）を設けてもよい。あるいは照明ライトを設けてもよい。
そして、遮光板１１は太陽光を追尾してその角度を変更するか、太陽光源の位置を検知し、これに対して遮光板１１を回動させるような機構を有したものとしてもよい。
さらに、遮光板１１をよろい戸構造としてもよい。
【００４９】
次に、この実施例１のメガネ用サンバイザ１０の使用に際しては、まず、支柱元部７１をメガネ２０のブリッジ部７８の表側に接着剤により接着し、その後、支柱元部７１のボール部７２を、サンバイザ用遮光板交換ユニット７９に組み込まれた第１のボールジョイント７４の球面軸受部７３に押し込んで連結する。これにより、メガネ用サンバイザ１０がメガネ２０に着脱自在に装着される。ただし、見方を換えれば、メガネ２０が実施例１のメガネ用サンバイザ１０付きのメガネ（頭部装着体）に改良されたことになる。
【００５０】
次に、使用者が、このメガネ２０を掛け、例えば自動車の運転をする際、遮光板１１の位置を調整することで太陽光の直射が避けられる。同時に、レンズ２２，２３を通して広く視野を確保することができる。その場合、遮光板１１は上方前方に所定距離だけ突出していることから、その視野の妨げとはならない。しかも、視野の明るさも十分に確保される。また、第１のボールジョイント７４を利用し、例えば用途や使用者（着用者）の好みなどに合わせ、サンバイザ用遮光板交換ユニット７９を、異なる別のサンバイザ用遮光板交換ユニットに交換することができる。
また、メガネ用サンバイザ１０が不要な場合、例えば夜間や、昼間でも正午前後の太陽が真上に位置するときなどは、第１のボールジョイント７４のボール部７２と球面軸受部７３との掛止部分からサンバイザ用遮光板交換ユニット７９を切り離すか、遮光板１１の位置をずらすことで対処することができる。
なお、第１のボールジョイント７４を分解組み立てが困難なボールジョイントとし、かつ第２のボールジョイント７６を省略し、支柱本体部７５の先端部に遮光板１１を、別の屈曲自在なジョイントを介して連結してもよい。なお、別の屈曲自在なジョイントを介しさず、直接、支柱本体部７５の先端部に遮光板１１を連結してもよい。
【実施例２】
【００５１】
次に、図４〜図８を参照して、この発明の実施例２に係るサンバイザを説明する。
メガネ用サンバイザ（サンバイザ）１０Ａは、メガネ２０のフロント部２１に着脱自在に装着される。メガネ用サンバイザ１０Ａは、メガネ２０のフロント部２１にて両方のレンズ２２，２３の上側の一部を覆う遮光板１１と、遮光板１１をメガネ２０のフロント部２１または両方のレンズ２２，２３に取り付ける頭部掛止体１２とを有して構成されている。頭部掛止体１２は硬質アルミニウム製で、第１のボールジョイント７４の支柱元部７１が固定され、かつメガネ２０に掛止可能な構造を有している。
【００５２】
すなわち、図４および図５に示す取付状態で、頭部掛止体１２によりフロント部２１のフレームまたはレンズ２２，２３を上から挟み付け、メガネ用サンバイザ１０Ａの遮光板１１をメガネ２０に着脱自在に取り付ける。また、遮光板１１の不使用時には、２つのボールジョイント７４，７６を利用して遮光板１１をフロント部２１の上縁の上方に配置し、サンバイザ１０Ａをコンパクトに折り曲げて収納することができる（図６）。
頭部掛止体１２は、ピン結合により互いに開閉自在に設けられた前側部材１２１（装着状態でレンズ２２，２３のフロント面より前側に突出する部材）と、後側部材１２２（装着状態で前側部材１２１よりも後ろ側に位置することになる）とを有している。前側部材１２１には、その上方前方に向かって所定長さだけ突出するアーム形状を有した支柱元部７１の後端が固定されている。支柱元部１２３の先端には、第１のボールジョイント７４のボール部７２が一体形成されている。ボール部７２には、実施例１と同じサンバイザ用遮光板交換ユニット７９の支柱本体部７５の球面軸受部７３が着脱可能に連結されている。これにより、矩形の遮光板１１が頭部掛止体１２に結合されている。
【００５３】
前側部材１２１は、水平バー１２５と、この水平バー１２５と一体の矩形平面板からなる押圧板１２６と、水平バー１２５から下方に突出する２本の挟みロッド１２７，１２８で構成されている。これらの水平バー１２５、押圧板１２６、挟みロッド１２７，１２８は、例えばプラスチック成形品として一体に形成されている。挟みロッド１２７，１２８同士は、押圧板１２６の両側から下方に垂下されている。
【００５４】
後側部材１２２は、前側部材１２１とピン結合されている。後側部材１２２は、押圧板１２６と所定間隔をあけて上方に対向して配置された押圧片１３１と、矩形板の押圧片１３１の両側下端からそれぞれ水平に突出する一対の水平部１３２，１３３と、両水平部１３２，１３３の先端から下方に向かって突出し、かつ挟みロッド１２７，１２８とそれぞれ対をなす挟み片１３４，１３５とを有している。そして、水平部１３２，１３３で前側部材１２１の水平バー１２５とピン結合し、押圧片１３１と押圧板１２６との間には垂直断面が略横Ｕ字形状のＵ字バネ１３６が介設されている。このプラスチックのＵ字バネ１３６が弾性変形することで、挟みロッド１２７，１２８と挟み片１３４，１３５との間でレンズ２２，２３を挟み付けることができる。
【００５５】
遮光板１１は、その面積を可変とする構造に変更してもよい。具体的には、横幅方向に長い長孔１１ａがそれぞれ形成された２枚の矩形板１１を重ね合わせ、これらを略正方形状のベース板１４０の前側に、遮光板１１の横幅方向に離間した１対のスライドピン１４１を用いてスライド自在に取り付けるように構成してもよい（図７）。
また、その他のスライド構造として、例えば、薄くて横長な矩形状のスライドガイド角筒１５０の両端の開口部から、両遮光板１１をそれぞれ出し入れ可能に構成してもよい（図８）。
この実施例２では、頭部掛止体１２を介して、支柱元部１２３をメガネ２０に掛止することができる。これにより、簡単な掛止操作を行うだけで、既存のメガネ２０をこの発明のメガネ用サンバイザ１０付きのものに改良することができる。
その他の構成、作用および効果は、実施例１から推測可能な範囲であるので、説明を省略する。
【００５６】
ところで、頭部掛止体１２が掛止される対象物を、メガネ２０などの頭部装着体から使用者が身に纏う（着用する）着衣に変更し、かつ遮光板１１に代えて任意の意匠が表示される表示板としてもよい。このように構成すれば、サンバイザ１０Ａを意匠表示具とすることができる。
意匠表示具とは、使用者の着衣に掛止される着衣掛止体（頭部掛止体１２に該当）と、この着衣掛止体に固定される支柱元部１２３と、この支柱元部１２３に、ボール部７２とこのボール部７２を軸支する球面軸受部７３とに分解組み立て自在な第１のボールジョイント７４を介して着脱自在に連結される支柱本体部７５と、この支柱本体部７５に第２のボールジョイント７６を介して連結され、表面および裏面の少なくとも一方に意匠が表示される表示板（遮光板１１に該当）とを備えたものである。
【００５７】
意匠表示具によれば、使用者の着衣に着衣掛止体を掛止することで、表示板に表示された意匠を第３者に報知することができる。表示板は、第１のボールジョイント７４および第２のボールジョイント７６により、着衣掛止体からの距離を変更したり、表示板の向きを任意の方向に変更することができる。また、表示板は、この第２のボールジョイント７６を利用し、簡単に裏返すことができる。そのため、表示板の表面だけでなく、その裏面に表示された意匠も、第３者に報知することができる。
また、意匠表示具は、第１のボールジョイントの部分から、着衣掛止体側の部分（ボール部および球面軸受部のうちの一方、着衣掛止体）と、表示板側の部分（ボール部および球面軸受部のうちの残り、表示板；意匠表示具用表示板交換ユニット（サンバイザ用遮光板交換ユニット７９に該当）とに２分割することができる。これにより、簡単な交換作業を行うだけで、１つの着衣掛止体側の部分に対して、例えば用途や好みなどに応じて、別の意匠表示具用表示板交換ユニットに、交換することができる。
【００５８】
意匠表示具とは、着衣に着脱自在に設けられ、第３者に意匠を報知するものである。
着衣としては、例えば背広、スーツ、コート、作業着（ツナギ）、ジャージ、上着（ジャケット、ジャンバ、カッターシャツ、ポロシャツ、Ｔシャツ、セータ、ブラウス、チョッキ、カーディガンなど）、下着（シャツ、パンツなど）、ズボン（綿パン、ジーンズ、半ズボン、パンタロンなど）、スカート（キュロットスカートなど）を採用することができる。
着衣掛止体とは、着衣に着脱自在に表示板を取り付け可能なものであればよい。その掛止構造としては、ばね式のクリップ構造、安全ピン構造、面状ファスナによる係止構造、ホック構造などを採用することができる。
表示板の素材は限定されない。例えば、各種のプラスチック、各種の金属、各種の木、各種のセラミックスなどを採用することができる。
表示板の大きさ、表示板の形状は限定されない。
意匠が表示されるのは、表示板の表面でも、裏面でもよい。またはその両方でもよい。
【実施例３】
【００５９】
図９および図１０は、この発明に係るサンバイザの実施例３を示す。
実施例３のメガネ用サンバイザ（サンバイザ）１０Ｂは、実施例１の遮光板１１に代えて、その縦幅および横幅に伸縮可能な枠体１６０と、枠体１６０に展張された伸縮シート１６１とを有した構造とすることで、面積を可変とした遮光板１１Ａを採用している。
【００６０】
遮光板１１Ａは、厚肉で横長な矩形状のベース板１６２を本体とし、このベース板１６２の後側の中央部に第２のボールジョイント７６の一部を連結している。ベース板１６２のうち、両横幅の端面側の中央部および両縦幅の端面側の中央部には、ベース板１６２の中心部に向かって延長された短尺な１対の軸孔１６２ａと長尺な１対の軸孔１６２ｂとが、略十字形状に形成されている。
枠体１６０は、遮光板１１Ａの横方向に長い１対の横管１６３と、遮光板１１Ａの縦方向に長い一対の縦管１６４と、隣接する横管１６３と縦管１６４との各突き合わせ側の端部に、対応するロッド端部が若干の抵抗を受けながら出し入れ可能にそれぞれ圧入されるＬ字形の４本のスライドロッド６５とを有している。
【００６１】
両横管１６３の長さ方向の中間部の内側には、短尺なスライド軸１６６の先端部がそれぞれ固着されている。一方、両縦管１６４の長さ方向の中間部の内側には、長尺なスライド軸１６７の先端部がそれぞれ固着されている。このうち、短尺な両スライド軸１６６の元部は、両縦幅の端面側の軸孔１６２ａに若干の抵抗が作用されながらスライド可能に圧入されている。また、長尺な両スライド軸１６７の元部は、両横幅の端面側の軸孔１６２ｂに若干の抵抗が作用されながらスライド可能に圧入されている。
前記伸縮シート１６１はゴム糸を密に編んだ横長な編み布で、その外周部の全域には略矩形状を有した筒部１６１ａが、枠体１６０を収納して縫製されている。
【００６２】
収縮した遮光板１１Ａ（図９）の伸長時には、例えば光の照射方向に応じて遮光板１１Ａを拡張（伸長）させたい方向に配置された両横管１６３または両縦管１６４を握る。その後、これらの握った部分を、伸縮シート１６１とともに各対応する方向（縦幅方向、横幅方向またはこれらの両方向）に引っ張る。これにより、対応するスライド軸１６６，１６７の一部が軸孔１６２ａ，１６２ｂから引き出されるとともに、対応するスライドロッド６５の一部が横管１６３または縦管１６４から若干引き出されることで、遮光板１１Ａが拡張される（図１０）。
【００６３】
遮光板１１Ａの収縮時には、上述した作業を反対に行う。このような簡単な操作でしかも低コストで遮光面積を変更することができる。
また、遮光板１１Ａの伸縮操作は、例えば図９の二点鎖線の矢印に示すように、遮光板１１Ａの一方の対角線上に配置された両スライドロッド６５を、この対角線に沿って同時に移動させるようにしても行うことができる。
その他の構成、作用および効果は、実施例１から推測可能な範囲であるので、説明を省略する。
【図面の簡単な説明】
【００６４】
【図１】この発明の実施例１に係るサンバイザの使用状態を示す斜視図である。
【図２】この発明の実施例１に係るサンバイザの分解斜視図である。
【図３】この発明の実施例１に係るサンバイザの第１のボールジョイント部の拡大縦断面図である。
【図４】この発明の実施例２に係るサンバイザの使用状態を示す斜視図である。
【図５】この発明の実施例２に係るサンバイザの使用状態を示す側面図である。
【図６】この発明の実施例２に係るサンバイザの収納状態を示す要部側面図である。
【図７】この発明の実施例２に係る他のサンバイザの使用状態を示す要部斜視図である。
【図８】この発明の実施例２に係る別のサンバイザの使用状態を示す要部斜視図である。
【図９】この発明の実施例３に係るサンバイザの遮光板の収縮状態を示す一部断面図を含む正面図である。
【図１０】この発明の実施例３に係るサンバイザの遮光板の拡張状態を示す一部断面図を含む正面図である。
【符号の説明】
【００６５】
１０，１０Ａ，１０Ｂ  メガネ用サンバイザ（サンバイザ）、
１１  遮光板、
１２  頭部掛止体、
２０  メガネ（頭部装着体）、
２１  フロント部、
７１，１２３  支柱元部、
７２  ボール部、
７３，７６Ａ  球面軸受部、
７４  第１のボールジョイント、
７５  支柱本体部、
７６  第２のボールジョイント、
７９  サンバイザ用遮光板交換ユニット。
【図１】
2007148029.tif 000003
【図２】
2007148029.tif 000004
【図３】
2007148029.tif 000005
【図４】
2007148029.tif 000006
【図５】
2007148029.tif 000007
【図６】
2007148029.tif 000008
【図７】
2007148029.tif 000009
【図８】
2007148029.tif 000010
【図９】
2007148029.tif 000011
【図１０】
2007148029.tif 000012